(57)【要約】【課題】集合玄関機にて行われた呼出操作により指定される部屋番号の情報に応じて予め定められた外部機器へとアクセスする。【解決手段】複数の居室端末３ａ、３ｂ、・・・のうち集合玄関機１にて行われた呼出操作により指定される部屋番号に該当した居室端末にて応答がなく、呼出元の集合玄関機と呼出先の居室端末との間で音声通話が成立していない場合、部屋番号情報受信装置８は、集合玄関機からの部屋番号の情報に応じて、カメラ２にて撮像された（呼出操作を行った）来訪者の映像を、呼出先の居室端末が設置される住戸内の居住者が外出等で携行している予め定められた携帯端末５ａ、５ｂ、・・・へと伝送させる。【選択図】  図１
2004297254.tif 000002
【特許請求の範囲】
【請求項１】
集合住宅の各住戸内に設置され、個別の部屋番号を有しており音声通話を行うための複数の居室端末（３ａ、３ｂ、・・・）と、集合玄関に設置され、来訪者が前記部屋番号を指定して前記居室端末を呼び出し、前記居室端末との間で音声通話を行うための集合玄関機（１）と、前記居室端末および前記集合玄関機の制御を行うための制御装置（９）と、前記集合玄関機から発信される前記部屋番号の情報を受信するための部屋番号情報受信装置（８）と、前記集合玄関に設置され、前記来訪者を撮像した映像信号を、前記部屋番号情報受信装置からの前記部屋番号の情報に応じて前記部屋番号の居室端末が設置される住戸の居住者が携行する予め定められた携帯端末（５ａ、５ｂ、・・・）へと伝送するためのカメラ（２）とを備えたことを特徴とする集合住宅インターホン装置。
【請求項２】
集合住宅の各住戸内に設置され、個別の部屋番号を有しており音声通話を行うための複数の居室端末（３ａ、３ｂ、・・・）と、集合玄関に設置され、来訪者が前記部屋番号を指定して前記居室端末を呼び出し、前記居室端末との間で音声通話を行うための集合玄関機（１）と、前記居室端末および前記集合玄関機の制御を行うための制御装置（９’）と、前記制御装置から発信される前記部屋番号の情報を受信するための部屋番号情報受信装置（８’）と、前記集合玄関に設置され、前記来訪者を撮像した映像信号を、前記部屋番号情報受信装置からの前記部屋番号の情報に応じて前記部屋番号の居室端末が設置される住戸の居住者が携行する予め定められた携帯端末（５ａ、５ｂ、・・・）へと伝送するためのカメラ（２）とを備えたことを特徴とする集合住宅インターホン装置。
【発明の詳細な説明】
【０００１】
【発明の属する技術分野】
本発明は集合住宅インターホン装置に係り、特に、集合玄関機にて行われた呼出操作により指定される部屋番号の情報を有効に利用することができる集合住宅インターホン装置に関する。
【０００２】
【従来の技術】
従来から、この種の集合住宅インターホン装置として、集合玄関機にて行われた呼出操作により指定される部屋番号の情報に該当した居室端末へと呼び出しをかけ、この呼び出しに応答した居室端末と集合玄関機との間で音声通話を行うことができる集合住宅インターホン装置が開示されている（例えば、非特許文献１）。
【０００３】
【非特許文献１】アイホン総合カタログ  ２００２／２００３年版（１６８、１６９頁）
【０００４】
【発明が解決しようとする課題】
しかしながら、従来例の集合住宅インターホン装置において、集合玄関機にて行われた呼出操作により指定される部屋番号の情報の利用は、当該装置が設置される集合住宅内に限定され、外出等で住戸内を不在としている居住者により携行される携帯端末や（サーバ等の）パーソナルコンピュータの外部機器へのアクセス手段には利用できなかった。
【０００５】
本発明は、上述の難点を解消するためになされたもので、集合玄関機にて行われた呼出操作により指定される部屋番号の情報に応じて予め定められた外部機器へとアクセスすることができる集合住宅インターホン装置を提供することを目的としている。
【０００６】
【課題を解決するための手段】
上述の目的を達成するため、本発明の集合住宅インターホン装置は、集合住宅の各住戸内に設置され、個別の部屋番号を有しており音声通話を行うための複数の居室端末と、集合玄関に設置され、来訪者が部屋番号を指定して居室端末を呼び出し、居室端末との間で音声通話を行うための集合玄関機と、居室端末および集合玄関機の制御を行うための制御装置と、集合玄関機から発信される部屋番号の情報を受信するための部屋番号情報受信装置と、集合玄関に設置され、来訪者を撮像した映像信号を、部屋番号情報受信装置からの部屋番号の情報に応じて部屋番号の居室端末が設置される住戸の居住者が携行する予め定められた携帯端末へと伝送するためのカメラとを備えたものである。
【０００７】
このような集合住宅インターホン装置によれば、複数の居室端末のうち集合玄関機にて行われた呼出操作により指定される部屋番号に該当した居室端末にて応答がなく、呼出元の集合玄関機と呼出先の居室端末との間で音声通話が成立していない場合、部屋番号情報受信装置は、集合玄関機からの部屋番号の情報に応じて、カメラにて撮像された（呼出操作を行った）来訪者の映像を、呼出先の居室端末が設置される住戸内の居住者が外出等で携行している予め定められた携帯端末へと伝送させることができる。
【０００８】
また、本発明の集合住宅インターホン装置は、集合住宅の各住戸内に設置され、個別の部屋番号を有しており音声通話を行うための複数の居室端末と、集合玄関に設置され、来訪者が部屋番号を指定して居室端末を呼び出し、居室端末との間で音声通話を行うための集合玄関機と、居室端末および集合玄関機の制御を行うための制御装置と、制御装置から発信される部屋番号の情報を受信するための部屋番号情報受信装置と、集合玄関に設置され、来訪者を撮像した映像信号を、部屋番号情報受信装置からの部屋番号の情報に応じて部屋番号の居室端末が設置される住戸の居住者が携行する予め定められた携帯端末へと伝送するためのカメラとを備えたものである。
【０００９】
このような集合住宅インターホン装置によれば、複数の居室端末のうち集合玄関機にて行われた呼出操作により指定される部屋番号に該当した居室端末にて応答がなく、呼出元の集合玄関機と呼出先の居室端末との間で音声通話が成立していない場合、部屋番号情報受信装置は、制御機からの部屋番号の情報に応じて、カメラにて撮像された（呼出操作を行った）来訪者の映像を、呼出先の居室端末が設置される住戸内の居住者が外出等で携行している予め定められた携帯端末へと伝送させることができる。
【００１０】
【発明の実施の形態】
以下、本発明の集合住宅インターホン装置を適用した好ましい形態の実施例について、図面を参照して説明する。
【００１１】
図１は、本発明の第１の実施例による集合住宅インターホン装置を示すシステム構成図である。
【００１２】
図１のシステム構成図に示す集合住宅インターホン装置は、集合玄関に設置され、当該集合玄関に居る来訪者が各住戸内に在室中の居住者のうち特定の住戸内に在室中の居住者を呼び出して音声通話を行うための機能および呼出操作を行った来訪者の映像を撮像するための機能を有する集合玄関機１と、集合玄関機１とともに集合玄関に設置され、呼出操作を行った来訪者の映像を撮像するための機能を有するカメラ２と、集合住宅の各住戸内に設置され個別の部屋番号を有しており、集合玄関機１からの呼び出し、すなわち、集合玄関に居る来訪者からの呼び出しが報知され集合玄関機１にて撮像した映像が表示されるとともに、これら報知・表示を確認した居住者が来訪者との間で音声通話を行うための機能を有する複数の居室端末３ａ、３ｂ、・・・と、インターネット４と、居室端末３ａ、３ｂ、・・・毎の部屋番号に対応して予め定められ個別の端末番号を有しており、通常、外出等で住戸内を不在としている居住者により携行されるインターネット４への接続機能を有する（外部機器をなす）携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｃｉｓｓｔａｎｔｓ）等の（複数の）携帯端末５ａ、５ｂ、・・・と、電話回線、光ファイバケーブル等の通信ラインＬ５を介してインターネット４への接続機能を有する（外部機器をなすサーバ等の）パーソナルコンピュータ（以下、パソコンという。）６と、上述の通信ラインＬ５を介して接続されたインターネット４および携帯端末５ａ、５ｂ、・・・の間のデータ伝送路を形成するための基地局（無線基地局）７と、集合玄関に居る来訪者が集合玄関機１にて指定した呼出先の居室端末３ａ、３ｂ、・・・毎の部屋番号の情報を受信装置ラインＬ３を介して受信し、カメララインＬ４を介して接続されたカメラ２に起動信号を出力するための部屋番号情報受信装置８と、玄関機ラインＬ１を介して接続された集合玄関機１および居室端末ラインＬ２を介してバス接続された居室端末３ａ、３ｂ、・・・の制御を行うための機能を有する制御装置９とから構成されている。
【００１３】
このように構成された本発明の第１の実施例による集合住宅インターホン装置において、以下、具体的な動作について説明する。
【００１４】
図１のシステム構成図において、集合住宅の各住戸内に在室中の居住者のうち特定の住戸内に在室中の居住者、ここでは、居室端末３ａが設置されている住戸内に在室中の居住者を呼び出して音声通話を行うために、集合玄関に居る来訪者が集合玄関機１にて行う呼出操作として、居室端末３ａに割り当てられている部屋番号を指定すると、指定された部屋番号の情報と当該集合玄関機が有する撮像機能により撮像された（呼出操作を行った）来訪者の映像とを含む呼出信号が玄関機ラインＬ１を介して制御装置９へと伝送される。
【００１５】
また、制御装置９は、集合玄関機１からの呼出信号に含まれている部屋番号の情報をもとに、集合玄関に居る来訪者から居室端末３ａが設置されている住戸内に在室中の居住者への呼び出しがあることを検出して所定の呼出時間の計時を開始するとともに、居室端末ラインＬ２を介してバス接続されている居室端末３ａ、３ｂ、・・・のうち呼出先の居室端末３ａへの音声チャンネルが空きであるか否か、すなわち、居室端末３ａが呼出通話状態であるか否かを判断し、当該音声チャンネルが空き状態の場合には、集合玄関機１からの呼出信号を居室端末ラインＬ２へと出力する。この呼出信号は、居室端末ラインＬ２を介して居室端末３ａ、３ｂ、・・・へとそれぞれ伝送される。
【００１６】
さらに、居室端末３ａ、３ｂ、・・・は、制御装置９からの呼出信号に含まれている部屋番号と自端末に割り当てられている部屋番号とそれぞれ照合し、一致した場合にのみ集合玄関に居る来訪者から呼び出しがある旨を呼出音の出力を行って報知するとともに、同様に呼出信号へと付加されている呼出操作を行った来訪者の映像を表示する。ここでは、居室端末３ａのみ部屋番号が一致して上述の報知・表示が行われる。
【００１７】
ここで、居室親機３ａにて上述の報知・表示が開始されてからの所定の時間内、すなわち、制御装置９にて計時中の所定の呼出時間内において、呼出先の居住者が住戸内に在室中であり居室親機３ａにて応答操作を行うと、これを検出した制御装置９の制御により、居室親機３ａの通話機能と居室端末ラインＬ２、制御装置９、玄関機ラインＬ１を介して集合玄関機１の通話機能との間の通話路が形成され、形成された通話路を介して音声信号を送受信させることにより音声通話を行うことができる。一方、呼出先の居住者が外出等で住戸内を不在としており、制御装置９にて計時中の所定の呼出時間がタイムアップとなると、これを検出した制御装置９は、集合玄関に居る来訪者により指定された部屋番号の情報を部屋番号情報受信装置８へと転送させるための制御信号を玄関機ラインＬ１を介して集合玄関機１へと出力する。
【００１８】
また、集合玄関機１は、制御装置９からの制御信号を検出すると、集合玄関に居る来訪者により指定された部屋番号の情報を含む情報信号を受信装置ラインＬ３を介して部屋番号情報受信装置８へと出力する。
【００１９】
また、部屋番号情報受信装置８は、集合玄関機１からの情報信号に含まれている部屋番号の情報を検出し、携帯端末５ａ、５ｂ、・・・のうち検出された部屋番号の情報に該当する居室端末３ａに予め定められた携帯端末５ａおよびパソコン６へと呼出操作を行った来訪者の映像を伝送させるための起動信号をカメララインＬ４を介してカメラ２へと出力する。
【００２０】
また、部屋番号情報受信装置８からの起動信号を検出したカメラ２は、呼出操作を行った来訪者の映像を開始し、撮像された映像と当該映像の伝送先である携帯端末５ａに割り当てられている端末番号とを含む映像信号を通信ラインＬ５上のインターネット４を介してパソコン６および基地局７へと出力することにより、カメラ２にて撮像された（呼出操作を行った）来訪者の映像をパソコン６に表示および／または保存させることができる。
【００２１】
さらに、基地局７は、携帯端末５ａ、５ｂ、・・・のうちカメラ２からの映像信号に含まれている端末信号に該当した携帯端末、ここでは、携帯端末５ａへとカメラ２からの映像信号を出力することにより、外出等で住戸内を不在としている呼出先の居住者は、居室端末３ａにて行われた上述の報知・表示を確認できなくとも、携帯端末５ａに表示されるカメラ２にて撮像された映像をもとに、呼出操作を行った来訪者を容易に確認できる。
【００２２】
なお、パソコン６に保存された映像、すなわち、カメラ２にて撮像された（呼出操作を行った）来訪者の映像は、携帯端末５ａ（５ａ、５ｂ、・・・）からのインターネットアクセス操作により当該パソコンから読み出して表示させることもできる（詳述せず）。
【００２３】
上述の本発明の第１の実施例のように、外出等で住戸内を不在としている呼出先の居住者が携行している携帯端末５ａ、５ｂ、・・・にて、カメラ２にて撮像された（呼出操作を行った）来訪者の映像を表示させることができる同様な効果を奏する集合住宅インターホン装置を、以下、本発明の第２の実施例による集合住宅インターホン装置として、図面を参照して説明する。
【００２４】
図２は、本発明の第２の実施例による集合住宅インターホン装置を示すシステム構成図である。なお、図２のシステム構成図に示す集合住宅インターホン装置において、上述の第１の実施例で適用された構成部と同様な構成部については、同一の符号を付して具体的な説明は省略する。
【００２５】
図２のシステム構成図に示す集合住宅インターホン装置は、集合玄関に設置される集合玄関機１と、集合玄関機１とともに集合玄関に設置されるカメラ２と、集合住宅の各住戸内に設置され個別の部屋番号を有する居室端末３ａ、３ｂ、・・・と、インターネット４と、通常、外出等で住戸内を不在としている居住者により携行され個別の端末番号を有する（外部機器をなす）携帯端末５ａ、５ｂ、・・・と、電話回線、光ケーブル、ケーブルテレビ等の通信ラインＬ５を介してインターネット４への接続機能を有する（外部機器をなすサーバ等の）パソコン６と、上述の通信ラインＬ５を介して接続されたインターネット４および携帯端末５ａ、５ｂ、・・・の間のデータ伝送路を形成するための基地局（無線基地局）７と、集合玄関に居る来訪者が集合玄関機１にて指定した呼出先の居室端末３ａ、３ｂ、・・・毎の部屋番号の情報を後述する制御装置９’へと接続される受信装置ラインＬ３’を介して受信し、カメララインＬ４を介して接続されたカメラ２に起動信号を出力するための部屋番号情報受信装置８’と、玄関機ラインＬ１を介して接続された集合玄関機１、居室端末ラインＬ２を介してバス接続された居室端末３ａ、３ｂ、・・・および受信装置ラインＬ３’を介して接続された部屋番号情報受信装置８’の制御を行うための機能を有する制御装置９’とから構成されている。
【００２６】
このように構成された本発明の第２の実施例による集合住宅インターホン装置において、以下、具体的な動作について説明する。
【００２７】
なお、本発明の第２の実施例において、集合住宅の各住戸内に在室中の居住者のうち特定の住戸内に在室中の居住者、ここでは、居室端末３ａが設置されている住戸内に在室中の居住者を呼び出すために、居室端末３ａに割り当てられている部屋番号を指定するような呼出操作、制御装置９’（９）にて所定の呼出時間の計時が開始される動作、呼出先の居室端末３ａにて行われる報知・表示の動作は、上述の本発明の第１の実施例とそれぞれ同様であることから説明は省略する。
【００２８】
図２のシステム構成図において、居室親機３ａにて上述の報知・表示が開始されてからの所定の時間内、すなわち、制御装置９’にて計時中の所定の呼出時間内において、呼出先の居住者が住戸内に在室中であり居室親機３ａにて応答操作を行うと、これを検出した制御装置９’の制御により、居室親機３ａの通話機能と居室端末ラインＬ２、制御装置９’、玄関機ラインＬ１を介して集合玄関機１の通話機能との間の通話路が形成され、形成された通話路を介して音声信号を送受信させることにより音声通話を行うことができる。一方、呼出先の居住者が外出等で住戸内を不在としており、制御装置９’にて計時中の所定の呼出時間がタイムアップとなると、これを検出した制御装置９’は、集合玄関機１からの呼出信号に含まれていた部屋番号の情報を含む情報信号を受信装置ラインＬ３’を介して部屋番号情報受信装置８’へと出力する。
【００２９】
また、部屋番号情報受信装置８’は、制御装置９’からの情報信号に含まれている部屋番号の情報を検出し、携帯端末５ａ、５ｂ、・・・のうち検出された部屋番号の情報に該当する居室端末３ａに予め定められた携帯端末５ａおよびパソコン６へと呼出操作を行った来訪者の映像を伝送させるための起動信号をカメララインＬ４を介してカメラ２へと出力する。
【００３０】
また、部屋番号情報受信装置８’からの起動信号を検出したカメラ２は、呼出操作を行った来訪者の映像を開始し、撮像された映像と当該映像の伝送先である携帯端末５ａに割り当てられている端末番号とを含む映像信号を通信ラインＬ４上のインターネット４を介してパソコン６および基地局７へと出力することにより、カメラ２にて撮像された（呼出操作を行った）来訪者の映像をパソコン６に表示および／または保存させることができる。
【００３１】
さらに、基地局７は、携帯端末５ａ、５ｂ、・・・のうちカメラ２からの映像信号に含まれている端末信号に該当した携帯端末、ここでは、携帯端末５ａへとカメラ２からの映像信号を出力することにより、外出等で住戸内を不在としている呼出先の居住者は、居室端末３ａにて行われた上述の報知・表示を確認できなくとも、携帯端末５ａに表示されるカメラ２にて撮像された映像をもとに、呼出操作を行った来訪者を容易に確認できる。
【００３２】
なお、パソコン６に保存された映像、すなわち、カメラ２にて撮像された（呼出操作を行った）来訪者の映像は、携帯端末５ａ（５ａ、５ｂ、・・・）からのインターネットアクセス操作により当該パソコンから読み出して表示させることもできる（詳述せず）。
【００３３】
【発明の効果】
以上の説明から明らかなように、本発明の集合住宅インターホン装置によれば、複数の居室端末のうち集合玄関機にて行われた呼出操作により指定される部屋番号に該当した居室端末にて応答がなく、呼出元の集合玄関機と呼出先の居室端末との間で音声通話が成立していない場合、部屋番号情報受信装置は、集合玄関機または制御機からの部屋番号の情報に応じて、カメラにて撮像された（呼出操作を行った）来訪者の映像を、呼出先の居室端末が設置される住戸内の居住者が外出等で携行している予め定められた携帯端末やパソコン（パーソナルコンピュータ）へと伝送させることができる。これにより、外出等で住戸内を不在としている呼出先の居住者は、居室端末にて行われた報知・表示をリアルタイムで確認できなくとも、携帯端末に表示されるカメラにて撮像された映像をもとに、呼出操作を行った来訪者を容易に確認できる。
【図面の簡単な説明】
【図１】本発明の第１の実施例による集合住宅インターホン装置を示すシステム構成図である。
【図２】本発明の第２の実施例による集合住宅インターホン装置を示すシステム構成図である。
【符号の説明】
１・・・・・集合玄関機
２・・・・・カメラ
３ａ、３ｂ、・・・  ・・・・・居室端末
５ａ、５ｂ、・・・  ・・・・・携帯端末
８、８’・・・・・部屋番号情報受信装置
９、９’・・・・・制御装置
【図１】
2004297254.tif 000003
【図２】
2004297254.tif 000004